(57)【要約】【課題】複数の蓄電池の充放電を効果的に管理する。【解決手段】本発明の一態様の電力管理装置は、蓄電池をそれぞれが有する複数の需要家施設における前記各蓄電池の充放電を管理する装置であって、親アグリゲータからの所定の要請時間における電力調整の要請を受信する受信部と、前記受信部が受信した前記要請に応じて、ベースラインにおける前記複数の蓄電池の各蓄電状態に基づき、前記各蓄電池の選択順位を決定する選択順位決定部と、前記要請時間より短い所定の単位時間毎に、前記選択順位決定部が決定した選択順位に基づき一または複数の前記蓄電池を選択し、選択した前記各蓄電池の充放電を前記各需要家施設に対して指示する制御部とを備える。【選択図】図２
2019068512.tif 000002
【特許請求の範囲】
【請求項１】
蓄電池をそれぞれが有する複数の需要家施設における前記各蓄電池の充放電を管理する装置であって、
親アグリゲータからの所定の要請時間における電力調整の要請を受信する受信部と、
前記受信部が受信した前記要請に応じて、ベースラインにおける前記複数の蓄電池の各蓄電状態に基づき、前記各蓄電池の選択順位を決定する選択順位決定部と、
前記要請時間より短い所定の単位時間毎に、前記選択順位決定部が決定した選択順位に基づき一または複数の前記蓄電池を選択し、選択した前記各蓄電池の充放電を前記各需要家施設に対して指示する制御部と
を備える電力管理装置。
【請求項２】
前記選択順位決定部が、複数の前記単位時間毎に電力調整に係る所定の実測値に基づき必要に応じて前記選択順位を変更する
請求項１に記載の電力管理装置。
【請求項３】
前記選択順位決定部が、前記要請を満たすように、１または複数の前記蓄電池からなる群を設定し、設定した前記群毎に前記選択順位を決定する
請求項１または２に記載の電力管理装置。
【請求項４】
前記選択順位決定部は、前記要請を満たさない前記群が確認された場合、前記群のいずれにも割り当てられていない前記蓄電池を当該群に割り当てることで前記群を再設定する
請求項３に記載の電力管理装置。
【請求項５】
前記選択順位決定部は、前記要請を満たさない前記群が確認された場合、前記群のいずれかを解体し、前記群を再設定する
請求項３または４に記載の電力管理装置。
【請求項６】
前記制御部は、前記選択した前記各蓄電池の定格電力による充放電を前記各需要家施設に対して指示する
請求項１から５のいずれか１項に記載の電力管理装置。
【請求項７】
前記蓄電状態が利用可能量であり、
前記選択順位決定部が、ベースラインにおける各前記蓄電状態に応じて前記各蓄電池の前記選択順位を決定するとともに、前記単位時間毎に前記蓄電状態の各推定値に基づき前記選択順位を更新する
請求項１または２に記載の電力管理装置。
【請求項８】
前記蓄電状態が充電率であり、
前記選択順位決定部が、ベースラインにおける各前記蓄電状態に応じて前記各蓄電池の前記選択順位を決定するとともに、前記単位時間毎に前記蓄電状態の各推定値に基づき前記選択順位を更新する
請求項１または２に記載の電力管理装置。
【請求項９】
蓄電池をそれぞれが有する複数の需要家施設における前記各蓄電池の充放電を管理する方法であって、
受信部によって、親アグリゲータからの所定の要請時間における電力調整の要請を受信し、
選択順位決定部によって、前記受信部が受信した前記要請に応じて、ベースラインにおける前記複数の蓄電池の各蓄電状態に基づき、前記各蓄電池の選択順位を決定し、
制御部によって、前記要請時間より短い所定の単位時間毎に、前記選択順位決定部が決定した選択順位に基づき一または複数の前記蓄電池を選択し、選択した前記各蓄電池の充放電を前記各需要家施設に対して指示する
電力管理方法。
【発明の詳細な説明】
【技術分野】
【０００１】
本発明は、電力管理装置および電力管理方法に関する。
【背景技術】
【０００２】
特許文献１には、デマンドレスポンスへの対応に際し、契約電流値の最大値に応じて各需要家で削減すべき削減電力量を決定する電力管理システムが記載されている。ここで、デマンドレスポンス（ＤＲ：ＤｅｍａｎｄＲｅｓｐｏｎｓｅ）とは、卸市場価格の高騰時または系統信頼性の低下時において、電気料金価格の設定またはインセンティブの支払に応じて、需要家側が電力の使用を抑制するよう電力消費パターンを変化させること、と定義されている。
【０００３】
従来より、工場、ビル等、消費電力が大きい大口需要家では需要抑制、蓄電池制御等により、電力消費ピーク時のデマンドレスポンスが行われてきた。例えば、冷房運転時期において、需要ピーク時に需要抑制の要求があった場合、空調設定温度を上げたり、照明等の各種機器のうち重要度が低い機器を停止したりすることで需要を抑制する。また、蓄電池を用いた需要抑制方法では、大型の蓄電池に予め充電しておき、需要抑制の指定時間において放電し、その間にける購入電力が一定時間抑制される。
【０００４】
一方、一般住宅等の需要家においては、消費電力が大きくないため、需要を抑制できる範囲が小さい。そのため、一般住宅における需要を抑制したとしても、需要抑制の十分な効果は見込めない。これに対し、近年、アグリゲータと複数の需要家の間の契約に基づき、電気事業者（小売電気事業者および系統運用者を含む）等からの要請に応じて行った電力の需要削減の量や容量を取引する取組が検討されている。ここで、アグリゲータ（ＤＲアグリゲータともいう）とは、複数の需要家を束ねてＤＲによる需要削減量を電気事業者と取引する事業者である。
【０００５】
また、太陽光発電設備等、再生可能エネルギを利用した発電設備の導入拡大に伴い、デマンドレスポンスにおける電力消費パターンの変化に、需要削減に加え、需要増加を含ませることが考えられている。すなわち、電力の供給過剰状態が発生した場合に、需要家に対し電力の消費増加を促すことで、配電系統における電気の品質安定化を図ることが検討されている。
【先行技術文献】
【特許文献】
【０００６】
【特許文献１】特許第５９２２１３８号公報
【発明の概要】
【発明が解決しようとする課題】
【０００７】
ところで、一般住宅等の需要家においては、再生可能エネルギを使用した発電設備の導入とともに、蓄電池の導入が進められている。蓄電池の充放電は、電力の需要削減や需要増加に資するものと考えられ、一般住宅等の複数の需要家が有する複数の蓄電池の充放電を効果的に管理する装置や方法が求められている。
【０００８】
本発明は、上記事情に鑑みてなされたもので、その目的は、複数の蓄電池の充放電を効果的に管理することがきる電力管理装置および電力管理方法を提供することにある。
【課題を解決するための手段】
【０００９】
上記課題を解決するため、本発明の一態様は、蓄電池をそれぞれが有する複数の需要家施設における前記各蓄電池の充放電を管理する装置であって、親アグリゲータからの所定の要請時間における電力調整の要請を受信する受信部と、前記受信部が受信した前記要請に応じて、ベースラインにおける前記複数の蓄電池の各蓄電状態に基づき、前記各蓄電池の選択順位を決定する選択順位決定部と、前記要請時間より短い所定の単位時間毎に、前記選択順位決定部が決定した選択順位に基づき一または複数の前記蓄電池を選択し、選択した前記各蓄電池の充放電を前記各需要家施設に対して指示する制御部とを備える電力管理装置である。
【００１０】
また、本発明の一態様は、上記電力管理装置であって、前記選択順位決定部が、複数の前記単位時間毎に電力調整に係る所定の実測値に基づき必要に応じて前記選択順位を変更する。
【００１１】
また、本発明の一態様は、上記電力管理装置であって、前記選択順位決定部が、前記要請を満たすように、１または複数の前記蓄電池からなる群を設定し、設定した前記群毎に前記選択順位を決定する。
【００１２】
また、本発明の一態様は、上記電力管理装置であって、前記選択順位決定部は、前記要請を満たさない前記群が確認された場合、前記群のいずれにも割り当てられていない前記蓄電池を当該群に割り当てることで前記群を再設定する。
【００１３】
また、本発明の一態様は、上記電力管理装置であって、前記選択順位決定部は、前記要請を満たさない前記群が確認された場合、前記群のいずれかを解体し、前記群を再設定する。
【００１４】
また、本発明の一態様は、上記電力管理装置であって、前記制御部は、前記選択した前記各蓄電池の定格電力による充放電を前記各需要家施設に対して指示する。
【００１５】
また、本発明の一態様は、上記電力管理装置であって、前記蓄電状態が利用可能量であり、前記選択順位決定部が、ベースラインにおける各前記蓄電状態に応じて前記各蓄電池の前記選択順位を決定するとともに、前記単位時間毎に前記蓄電状態の各推定値に基づき前記選択順位を更新する。
【００１６】
また、本発明の一態様は、上記電力管理装置であって、前記蓄電状態が充電率であり、前記選択順位決定部が、ベースラインにおける各前記蓄電状態に応じて前記各蓄電池の前記選択順位を決定するとともに、前記単位時間毎に前記蓄電状態の各推定値に基づき前記選択順位を更新する。
【００１７】
また、本発明の一態様は、蓄電池をそれぞれが有する複数の需要家施設における前記各蓄電池の充放電を管理する方法であって、受信部によって、親アグリゲータからの所定の要請時間における電力調整の要請を受信し、選択順位決定部によって、前記受信部が受信した前記要請に応じて、ベースラインにおける前記複数の蓄電池の各蓄電状態に基づき、前記各蓄電池の選択順位を決定し、制御部によって、前記要請時間より短い所定の単位時間毎に、前記選択順位決定部が決定した選択順位に基づき一または複数の前記蓄電池を選択し、選択した前記各蓄電池の充放電を前記各需要家施設に対して指示する電力管理方法である。
【発明の効果】
【００１８】
本発明によれば、複数の蓄電池の充放電を効果的に管理することがきる。
【図面の簡単な説明】
【００１９】
【図１】本発明の一実施形態に係る蓄電池群管理システムの構成例を示す模式図である。
【図２】図１に示す電力管理装置１０と需要家施設２０の構成例を示すブロック図である。
【図３】図２に示す制御装置１２の動作例を示すフローチャートである。
【図４】図３に示す制御装置１２の動作例を説明するための模式図である。
【図５】図２に示す制御装置１２の他の動作例を示すフローチャートである。
【図６】図５に示す制御装置１２の動作例を説明するための説明図である。
【図７】図２に示す制御装置１２のさらに他の動作例を示すフローチャートである。
【図８】図３、図５および図７に示す動作例を比較するための説明図である。
【発明を実施するための形態】
【００２０】
以下、図面を参照して本発明の実施形態について説明する。本発明の一実施形態に係る蓄電池群管理システムの構成例を示す模式図である。図１に示す蓄電池群管理システム１は、電力管理装置１０と、一般家庭等の複数の需要家施設２０と、大口の需要家施設３０を備える。複数の需要家施設２０は、それぞれ蓄電池２１を有する。需要家施設３０は、蓄電池３１を有する。なお、需要家施設３０の個数は、０個または複数個としてもよい。
【００２１】
電力管理装置１０は、複数の需要家（複数の需要家施設２０および需要家施設３０）を束ねてＤＲによる需要削減または需要増加（まとめて需要変化ともいう）を、電気事業者等の親アグリゲータと取引する事業者（アグリゲータ）が運用するサーバ等のコンピュータである。電力管理装置１０は、電力会社等（親アグリゲータ）が運用する上位制御システム５０（サーバ等のコンピュータ）から複数の需要家施設２０や需要施設３０における電力調整の要請（電力調整の依頼）を通信回線６０を介して受信する。また、電力管理装置１０は、受信した電力調整の要請に応じて、１または複数の蓄電池２１または蓄電池３１を選択し、選択した各蓄電池２１または蓄電池３１を有する各需要家施設２０または需要家施設３０へ充放電指令を通信回線４０を介して送信し、選択した各蓄電池２１または蓄電池３１における充放電を制御する。
【００２２】
なお、本実施形態において、電力調整の要請は、電力管理装置１０が管理する複数の需要家施設２０および需要施設３０全体としての需要削減の要請と需要増加の要請を含む。また、需要削減の要請は、潮流電力の削減の要請と、逆潮流電力の増加の要請を含む。また、電力調整の要請は、蓄電池２１または蓄電池３１における充放電電力、放電電力や充電電力の変化を直接指示する内容を含んでいてもよい。
【００２３】
また、蓄電池群管理システム１は、例えばＴＥＭＳ（Ｔｏｗｎ  Ｅｎｅｒｇｙ  Ｍａｎａｇｅｍｅｎｔ  Ｓｙｓｔｅｍ）やＣＥＭＳ（Ｃｏｍｍｕｎｉｔｙ  Ｅｎｅｒｇｙ  Ｍａｎａｇｅｍｅｎｔ  Ｓｙｓｔｅｍ）等の電力管理システムに含まれる形態で（例えば一つの機能として）構成することができる。また、電力管理装置１０は、ＴＥＭＳやＣＥＭＳ等の電力管理システムにおける管理装置（管理サーバ）に含まれる形態で（例えば一つの機能として）構成することができる。ここで、ＴＥＭＳやＣＥＭＳは、例えば、所定の地域範囲における住宅、商業施設、産業施設等の複数の需要家施設２０および需要家施設３０における電力を一括して管理するシステムである。この場合、電力管理装置１０は、複数の需要家施設２０および需要施設３０が有する複数の蓄電池２１および蓄電池３１の充放電電力の管理（予測や制御）のほか、例えば、発電設備の発電電力の管理（予測や制御）、負荷設備の消費電力の管理（予測や制御）を行う装置として構成することができる。また、電力管理装置１０が管理する需要家施設には、蓄電池を有していない需要家施設が含まれていてもよい。なお、本実施形態において、所定の地域範囲は、１つの地域範囲によって形成されていてもよいし、地理的に離散している複数の地域範囲によって形成されていてもよい。
【００２４】
図２は、図１に示す電力管理装置１０と需要家施設２０の構成例を示すブロック図である。図２に示す構成例において、需要家施設２０は、通信部２４、制御装置２２、分電盤２３、蓄電池２１、発電設備２５、電力負荷設備２６および電力メータ２８を備える。
【００２５】
通信部２４は、通信回線４０を介して、電力管理装置１０との間で所定の情報を送受信する。通信回線４０は、通信回線４３、インターネット等のネットワーク４１、および通信回線４２から構成されている。
【００２６】
制御装置２２は、需要家施設２０における電気設備（発電設備２５、蓄電池２１、電力負荷設備２６および通信部２４等）を制御する。また、制御装置２２は、電力メータ２８にて測定される消費電力の情報を入力し、入力された消費電力の情報を各種制御に利用することができる。
【００２７】
なお、本実施形態では、需要家施設２０が備える蓄電池２１、発電設備２５および電力負荷設備２６のうち、例えば制御装置２２を介して電力管理装置１０が制御可能なものを電力設備と呼ぶ。本実施形態において、蓄電池２１の充電電力と放電電力は電力管理装置１０によって制御される。また、発電設備２５の一部または全部は、電力管理装置１０によって発電電力が制御可能であってもよい。また、電力負荷設備２６の一部または全部は、電力管理装置１０によって消費電力が制御可能であってもよい。すなわち、蓄電池２１と、電力管理装置１０が制御可能な発電設備２５および電力負荷設備２６は、電力設備である。
【００２８】
制御装置２２は、電力管理装置１０から受信した指示に従い、需要家施設２０が備える電力設備の充放電電力、発電電力、消費電力等を制御する。その際、制御装置２２は、電力管理装置１０から受信した充放電指令に従い、蓄電池２１の充放電電力を制御する。
【００２９】
制御装置２２は、また、需要家施設２０における電力関連の情報を収集する。制御装置２２は、例えば、電力メータ２８にて測定された需給電力の情報を収集することができる。また、制御装置２２は、発電設備２５が発電する電力、蓄電池２１の残容量（蓄積電力）や充放電電力、電力負荷設備２６等による負荷電力（消費電力）等を収集することができる。制御装置２２は、また、収集した発電電力、充放電電力、需要電力、需給電力等の情報を、例えば所定の時間間隔であるいは電力管理装置１０からの要求に応じて、通信部２４から電力管理装置１０へ送信する。
【００３０】
分電盤２３は、電力メータ２８経由で引込線７１から供給された電力を、蓄電池２１や電力負荷設備２６等に配線２７を介して分配して供給する。引込線７１は、一般送配電事業者側の配電系統の構成要素である。また、分電盤２３は、発電設備２５等から出力された電力を逆潮流のために電力メータ２８経由で引込線７１に出力させることができる。
【００３１】
蓄電池２１は、充電のために入力される電力を蓄積し、また、蓄積した電力を放電して出力する設備である。蓄電池２１は、例えば二次電池とインバータを備える。蓄電池２１は電力の蓄積（充電）と蓄積された電力の出力（放電）を行う。インバータは、二次電池に充電するための電力を交流から直流に変換し、二次電池から放電により出力される電力を直流から交流に変換する。つまり、インバータは、二次電池が入出力する電力の双方向変換を行う。蓄電池２１の充放電電力は制御装置２２によって制御される。
【００３２】
蓄電池２１は、分電盤２３を介して供給される商用電源の電力を入力して充電することができる。また、蓄電池２１は、発電設備２５により発電された電力を入力して充電することができる。また、蓄電池２１は、蓄積された電力を電力負荷設備２６の電源として供給することができる。また、蓄電池２１は、蓄積された電力を分電盤２３から電力メータ２８を経由して引込線７１に出力することで逆潮流させることができる。
【００３３】
発電設備２５は、例えば太陽光を受けて発電を行う設備である。発電設備２５は、例えば太陽電池とＰＣＳ（Ｐｏｗｅｒ  Ｃｏｎｄｉｔｉｏｎｉｎｇ  Ｓｙｓｔｅｍ）を備える。発電設備２５は、太陽光を受けて発電し、発電により得られた電力をＰＣＳにより交流に変換して出力する。
【００３４】
発電設備２５にて発電された電力は、電力負荷設備２６の電源として供給することができる。また、発電設備２５にて発電された電力は、蓄電池２１に充電することができる。また、発電設備２５にて発電された電力は、分電盤２３から電力メータ２８を経由して引込線７１に出力することで逆潮流させることができる。
【００３５】
なお、発電設備２５と蓄電池２１は、電力変換回路等の構成を一体化したものであってもよい。
【００３６】
電力負荷設備２６は、需要家施設２０において自己の動作のために電力を消費する１または複数の所定の機器や設備等を一括して示したものである。なお、各需要家施設２０が備える負荷としての機器や設備等の種類および数等はそれぞれ異なっていて構わない。電力負荷設備２６は、分電盤２３から供給される商用電源を入力して動作することができる。また、電力負荷設備２６は、発電設備２５により発電された電力を入力して動作することができる。また、電力負荷設備２６は、蓄電池２１から出力された電力を入力して動作することができる。
【００３７】
また、電力負荷設備２６は、貯湯式給湯器、蓄熱型空調機、衣類乾燥機、食器乾燥機、蓄電池（充電対象としての負荷）等、制御装置２２等によって消費電力をコントロールできる負荷を含んでいてもよい。
【００３８】
電力メータ２８は、需要電力と発電電力とを測定する。すなわち、電力メータ２８は、需給電力を測定する。需給電力は、例えば需要電力と発電電力との差分である。需要家施設２０において、引込線７１から分電盤２３に供給される電力が需要電力である。一方、蓄電池２１や発電設備２５から出力され、分電盤２３から電力メータ２８を経由して引込線７１に供給される電力が発電電力である。需要電力に対応する順潮流を正方向とした場合、順潮流に対応する需要電力に対して逆潮流に対応する発電電力が小さければ、需給電力は正の値として測定され、需要電力に対して発電電力が大きければ需給電力は負の値として測定される。電力メータ２８は、例えば、１つの需要家施設２０において使用される需要電力を測定する需要メータと、１つの需要家施設２０において太陽光発電装置等の自然エネルギを利用した発電設備２５等によって発電された発電電力を測定する発電メータとを備える。
【００３９】
なお、電力メータ２８は、例えばスマートメータとして、ネットワーク４１等を経由して、測定した需給電力の情報を電力管理装置１０に送信できるようにしてもよい。この場合、制御装置２２は、電力メータ２８により測定された需給電力を収集しなくてもよい。
【００４０】
なお、需要家施設２０には、蓄電池２１と発電設備２５のいずれか一方を備えるものがあってよい。また、需要家施設２０には、蓄電池２１と発電設備２５のいずれも備えないものがあってよい。また、発電設備２５は、太陽電池を用いるものに限らず、風力発電、地熱発電等、他の再生可能エネルギを利用して発電を行う発電装置あるいはそれらの組み合わせであってもよい。
【００４１】
また、需要家施設２０が備える蓄電池２１や発電設備２５は、商用電源と系統連系されている。これにより、蓄電池２１または発電設備２５を備える需要家施設２０は、発電設備２５が発電して出力する電力または蓄電池２１が放電により出力する電力を商用電源の電力系統（配電網）に逆潮流させて、電力系統を通して売電することができる。
【００４２】
なお、需要家施設３０は、需要家施設２０と基本的な構成が同一である。すなわち、需要家施設３０では、電力管理装置１０から受信した指示に従い、需要家施設３０が備える電力設備の充放電電力、発電電力、消費電力等が制御される。その際、需要家施設３０では、電力管理装置１０から受信した充放電指令に従い、蓄電池３１の充放電電力が制御される。ただし、一般的に、需要家施設２０へは、配電系統の高圧配電線に接続された柱上変圧器、路上変圧器等から低圧配電線を介して商用電力が配電されるが、需要家施設３０へは、例えば高圧配電線から直接、商用電力が配電される。
【００４３】
一方、電力管理装置１０は、通信部１１、制御装置１２、および記憶部１３を備える。制御装置１２は、例えば、ＣＰＵ（中央処理装置）、主記憶装置、補助記憶装置、入出力装置等のハードウェアと、ＣＰＵが実行する所定のプログラムとの組み合わせから構成することができる。
【００４４】
本実施形態において、電力管理装置１０は、例えば計画値同時同量制度に対応させて、各需要家施設２０および需要家施設３０における電力の需給を管理する。つまり、電力管理装置１０の運用者は、各需要家施設２０および需要家施設３０全体として、電力需給計画を所定の単位計画時間（例えば、３０分）ごとに策定し、策定された電力需給計画を一般送配電事業者に提出する。そのうえで、各需要家施設２０および需要家施設３０全体における電力需給の実績が電力需給計画に対して過不足（インバランス）を生じた場合には、電気事業者と一般送配電事業者との間でインバランスに対応する精算（インバランス精算）が行われる。
【００４５】
本実施形態における電力需給計画は、発電計画と需要計画とを含む。発電計画は、配電網に逆潮流させる電力についての各需要家施設２０および需要家施設３０全体としての計画値や、需要家施設２０や需要家施設３０の個別の計画値があり得る。需要計画は、配電網から順潮流で購入する電力についての各需要家施設２０および需要家施設３０全体としての計画値や、需要家施設２０の個別の計画値があり得る。
【００４６】
本実施形態が対応する計画値同時同量制度のもとでは、発電計画と需要計画とのそれぞれについて実績が計画通りに達成されることが求められる。つまり、本実施形態が対応する計画値同時同量制度では、各需要家施設２０および需要家施設３０全体から逆潮流される電力の実績が発電計画に対して過不足のないことが求められるとともに、各需要家施設２０および需要家施設３０全体として順潮流を受ける電力の実績が需要計画に対して過不足のないことが求められる。なお、本実施形態において、発電電力とは配電網に逆潮流させる電力をいう。また、需要電力とは配電網から順潮流させる電力をいう。なお、本実施形態において、発電電力は、発電設備２５が発電した電力と蓄電池２１が放電した電力を含む。
【００４７】
電力管理装置１０は、各需要家施設２０および需要家施設３０全体における電力設備を対象として電力制御を実行する。電力管理装置１０は、インターネット等のネットワーク４１、通信回線４２および通信回線４３から構成される通信回線４０を介して需要家施設２０および需要家施設３０の各々と相互に通信が可能なように接続されている。これにより、電力管理装置１０は、需要家施設２０と需要家施設３０が備える電力設備の運転を制御することができる。また、電力管理装置１０は、通信回線６０を介して、上位制御システム５０と相互に通信が可能なように接続されている。
【００４８】
通信部１１は、通信回線４０経由で需要家施設２０内の制御装置２２と通信を行う。また、通信部１１は、通信回線６０経由で上位制御システム５０と通信を行う。なお、通信回線６０も、通信回線４０と同様、インターネット等のネットワーク４１を介して構成されるものであってもよい。
【００４９】
記憶部１３は、電力管理にあたって制御装置１２が利用する情報を記憶する。本実施形態の記憶部１３は、発電計画情報１３１、需要計画情報１３２、および需要家施設基本情報１３３を記憶する。
【００５０】
発電計画情報１３１は、策定された発電計画による発電電力を示す情報である。需要計画情報１３２は、策定された需要計画による需要電力を示す情報である。需要家施設基本情報１３３は、各需要家施設２０および需要家施設３０についての基本的な情報を含む。例えば、１つの需要家施設２０に対応する需要家施設基本情報には、当該需要家施設２０を一意に示す需要家施設ＩＤ（識別符号）、需要家施設２０の契約電力の値、発電設備２５の定格出力の値、蓄電池２１の定格電力（定格出力）の値（定格充放電電力の値、定格放電電力の値や定格充電電力の値）および容量、当該需要家施設２０が備える電力負荷設備２６に関する情報、当該需要家施設２０が備える通信部２４や制御装置２２のアドレス等の情報が含まれる。
【００５１】
制御装置１２は、電力制御部１２１、受信部１２２、選択順位決定部１２３および蓄電池制御部１２４を備える。
【００５２】
電力制御部１２１は、記憶部１３が記憶している発電計画情報１３１および需要計画情報１３２と、各需要家施設２０および需要家施設３０における電力需給の実績値（実測値）に基づき、各需要家施設２０および需要家施設３０における電力設備を制御する。
【００５３】
受信部１２２は、親アグリゲータである電力会社等が運用する上位制御システム５０からの所定の要請時間における電力調整の要請を通信部１１を介して受信する。所定の要請時間は、電力調整すなわち需要削減または需要増加が要請される時間であり、例えば、開始時刻と終了時刻または開始時刻と継続時間で定義される。電力調整の要請は、ＤＲによる要請に対応し、電力調整の要請時間と、需要削減または需要増加が要請される電力の値、電力量の値等を示す情報を含む。
【００５４】
選択順位決定部１２３は、受信部１２２が受信した電力調整の要請に応じて、ベースラインにおける複数の蓄電池２１および蓄電池３１の各蓄電状態に基づき、要請に応じて充放電電力を変化させる際の各蓄電池２１と蓄電池３１の選択順位を決定する。ここで、ベースラインは、電力調整の要請がなかった場合に想定される電力消費量である。ベースラインは、計画値同時同量制度のもとでは、発電計画と需要計画から求めることができる。あるいは、本実勢形態においてベースラインは、発電電力の実績値と需要計画の実績値を基準として求めてもよい。本実施形態において蓄電状態とは、要請時間において想定されるベースラインを基準とした充電または放電の余力の程度を表す情報である。蓄電状態は、例えば、蓄電池２１または蓄電池３１の定格電力（最大充電電力あるいは最大放電電力）とベースラインにおける充電電力あるいは放電電力との差や比率、利用可能量や充電率で表すことができる。また、選択順位は、複数の蓄電池２１と蓄電池３１の全部ではなく一部で充放電電力を変化させることで要請された電力や電力量の削減や増加を満たすことができる場合に、各蓄電池２１および蓄電池３１の全体から充放電電力を変化させる一部の蓄電池２１と蓄電池３１を選択する際の各蓄電池２１および蓄電池３１の選択の順番である。本実施形態において選択順位は、各蓄電池２１あるいは蓄電池３１毎に設定したり、複数の蓄電池２１あるいは蓄電池３１からなる群（グループ）毎に設定したりすることができる。すなわち、本実施形態において、選択順位決定部１２３は、電力調整の要請がなかった場合の複数の蓄電池２１および蓄電池３１各々の充放電電力や残容量の計画値（あるいは実績値）を基準として、要請時間において想定される充放電電力の余力の程度に基づき、各蓄電池２１および蓄電池３１の選択の順番を、各蓄電池２１および蓄電池３１毎または所定の群毎に決定する。
【００５５】
蓄電池制御部（制御部）１２４は、要請時間より短い所定の単位時間毎に、選択順位決定部１２３が決定した選択順位に基づき一または複数の蓄電池２１または蓄電池３１を選択し、選択した各蓄電池２１または蓄電池３１へ充放電指令を送信し、選択した各蓄電池２１または蓄電池３１における充放電電力の制御を各需要家施設２０または需要家施設３０に対して指示する。ここで、充放電指令は、例えば、対象の単位時間を指示する情報と、当該単位時間における平均の放電電力の目標値または平均の充電電力の目標値を示す情報あるいは当該単位時間における放電電力量の目標値または充電電力量の目標値を示す情報等を含む。
【００５６】
なお、選択順位決定部１２３は、複数の単位時間毎に電力調整に係る所定の実測値に基づき必要に応じて選択順位を変更するようにしてもよい。ここで、電力調整に係る所定の実測値とは、例えば、実際に発生させることができた需要削減または需要増加の値である。この場合、各蓄電池２１もしくは蓄電池３１における充放電電力の実測値あるいは各需要家施設２０もしくは需要家施設３０における需給電力の実測値と、ベースラインとの差分に基づいて算出することができる。あるいは、電力調整に係る所定の実測値とは、例えば、充放電された電力の実測値、蓄電容量の実測値等であってもよい。また、複数の単位時間毎とは、１単位時間毎ではなく、複数の単位時間を単位とする、ということである。
【００５７】
次に、図３および図４を参照して、図２に示す制御装置１２の動作例について説明する。図３は、図２に示す制御装置１２の動作例を示すフローチャートである。図４は、図３に示す制御装置１２の動作例を説明するための模式図である。図３に示す動作例は、図２に示す受信部１２２が電力調整の要請を受信した場合に、要請された需要電力（あるいは需要電力量）の増減を、複数の蓄電池２１または蓄電池３１からの充放電によって対応するときの動作の一例である。また、この動作例では、選択順位決定部１２３による選択順位の決定の仕方が、郡単位（郡単位順）である。図４は、１２台の蓄電池２１を「１」〜「１２」にナンバリングし、群分けして（グループ分けして）、群毎に充電または放電制御する例を模式的に示す。図３に示す処理は、繰り返し実行される。以下、図４に示す１２台の蓄電池２１を制御対象とする場合を例として動作例を説明する。
【００５８】
図３に示す処理において、受信部１２２が上位制御システム５０から電力調整の要請を受信すると（ステップＳ１０１で「ＹＥＳ」）、蓄電池制御部１２４（あるいは選択順位決定部１２３）は、調整開始時刻になるまで待機する（ステップＳ１０２で「ＮＯ」の繰り返し）。調整開始時刻になると（ステップＳ１０２で「ＹＥＳ」）、選択順位決定部１２３が、群の個数を決定する（ステップＳ１０３）。
【００５９】
例えば、受信部１２２が受信した電力調整の要請が、ＸｋＷ（Ｘキロワット）の需要削減または需要増加の要請であるとする。また、図２に示す１２台の蓄電池２１は、ベースラインを基準として、需要削減の余力の合計または需要増加の余力の合計がＹｋＷ（Ｙキロワット）であるとする。
【００６０】
需要削減の余力は、ベースラインを基準として増加可能な蓄電池２１からの放電電力と減少可能な蓄電池２１への充電電力に対応する。需要増加の余力は、ベースラインを基準として減少可能な蓄電池２１からの放電電力と増加可能な蓄電池２１への充電電力に対応する。
【００６１】
本実施形態において、需要削減の余力は、１２台の蓄電池２１から定格放電電力（最大電力）で放電した場合にベースラインを基準として削減が予想される需要電力の合計である。すなわち、需要削減の余力は、ベースラインにおいて充放電を行っていない蓄電池２１から放電可能な電力（＝定格放電電力）、ベースラインにおいて充電中の蓄電池２１の充電電力に当該蓄電池２１から放電可能な電力（＝定格放電電力）を加えた電力、および、ベースラインにおいて放電中の蓄電池２１からさらに放電可能な電力（＝定格放電電力から放電中の電力を除いた電力）を合計したものである。
【００６２】
また、本実施形態において、需要増加の余力は、１２台の蓄電池２１へ定格充電電力（最大電力）で充電した場合にベースラインを基準として増加が予想される需要電力の合計である。すなわち、需要増加の余力は、充放電を行っていない蓄電池２１へ充電可能な電力（＝定格充電電力）、放電中の蓄電池２１の放電電力に当該蓄電池２１へ充電可能な電力（＝定格充電電力）を加えた電力、および、充電中の蓄電池２１へさらに充電可能な電力（＝定格充電電力から充電中の電力を除いた電力）を合計したものである。
【００６３】
以下、受信部１２２が受信した電力調整の要請が、需要削減の要請であるとして説明する。この場合、ステップＳ１０３において、需要削減が要請された電力をＸｋＷ、需要削減の余力をＹｋＷとして、選択順位決定部１２３は、ＹをＸで除したＹ／Ｘの整数部を群の個数とする。例えば、例えば、需要削減の要請電力Ｘが７ｋＷ、１２台の蓄電池２１全体として需要削減の余力Ｙが２４ｋＷの場合、Ｙ／Ｘ＝２４／７＝約３．４なので、選択順位決定部１２３は、群の個数をＹ／Ｘの整数部である「３」に決定する。
【００６４】
次に、選択順位決定部１２３が、１２個の蓄電池２１にナンバリングする（ステップＳ１０４）。図４の例では、図４（ａ）に示すように、左から順に「１」〜「１２」の番号が１２台の蓄電池２１に振られている。この番号が、各蓄電池２１を各群に割り振る際の割り振りの順序となる。番号は、例えば、各回異なるようにランダムに振り分けたり、番号が順次１だけ繰り上がるあるいは繰り下がるように（例えば、番号が「１」の蓄電池２１に次に設定される番号が「１２」、番号が「２」の蓄電池２１に次に設定される番号が「１」というように）振り付けたりすることができる。
【００６５】
次に、選択順位決定部１２３が、１２個の蓄電池２１を番号順で、１番目の群８０−１、２番目の群８０−２、または３番目の群８０−３のいずれかへ群分けする（ステップＳ１０５）。その際、選択順位決定部１２３は、群毎の需要削減の余力が、需要削減が要請された電力ＸｋＷを越えるように群分けする（ステップＳ１０５）。
【００６６】
図４（ａ）に示す例では、番号「１」〜「３」の３台の蓄電池２１が１番目の群８０−１に振り分けられている。この場合、番号「１」〜「３」の３台の蓄電池２１合計の需要削減の余力がＸｋＷを越えていることを意味する。また、番号「４」〜「７」の４台の蓄電池２１が２番目の群８０−２に振り分けられている。この場合、番号「４」〜「７」の４台の蓄電池２１合計の需要削減の余力がＸｋＷを越えていることを意味する。また、番号「８」〜「１０」の３台の蓄電池２１が３番目の群８０−３に振り分けられている。この場合、番号「８」〜「１０」の３台の蓄電池２１合計の需要削減の余力がＸｋＷを越えていることを意味する。そして、番号「１１」および「１２」の２台の蓄電池２１は、いずれの群にも振り分けられていない。いずれの群にも所属していない番号「１１」および「１２」の２台の蓄電池２１に対しては、電力調整の要請に対応する制御は行われない。
【００６７】
次に、蓄電池制御部１２４が、充放電制御する群を選択する（ステップＳ１０６）。図４に示す例では、蓄電池制御部１２４が、１番目の群８０−１を選択する。
【００６８】
次に、蓄電池制御部１２４が、選択した群の充放電制御を実行する（ステップＳ１０７）。図４に示す例では、蓄電池制御部１２４が、選択した１番目の群８０−１に属する番号「１」〜「３」の各蓄電池２１を備える各需要家施設２０に対して、それぞれ各蓄電池２１から定格電力（最大電力）で放電するよう指示する充放電指令を送信する。番号「１」〜「３」の各蓄電池２１を備える各需要家施設２０では、受信した充放電指令に基づき、指示された単位時間において、定格電力を目標として放電電力が制御される。なお、各需要家施設２０では、指示された単位時間が経過した後は、充放電指令が無い場合の計画値に基づいて充放電電力が制御される。また、各需要家施設２０では、指示された単位時間において蓄電池２１の充放電電力や需要家施設２０の需給電力が計測され、計測された充放電電力や需給電力の実測値が電力管理装置１０へ送信される。
【００６９】
次に、蓄電池制御部１２４が、調整終了時刻に到達したか否かを判断する（ステップＳ１０８）。調整終了時刻に到達した場合（ステップＳ１０８で「ＹＥＳ」）、制御装置１２は、図３に示す処理を一旦終了し、再度、図３に示す処理を開始する。一方、調整終了時刻に到達していない場合（ステップＳ１０８で「ＮＯ」）、蓄電池制御部１２４は、単位時間が経過したか否かを判断する（ステップＳ１０９）。単位時間は、１つの群が担当する要請に応じた充放電制御の時間である。単位時間が経過していない場合（ステップＳ１０９で「ＮＯ」）、蓄電池制御部１２４は、再度、調整終了時刻に到達したか否かを判断する（ステップＳ１０８）。
【００７０】
なお、図３に示す処理において、電力調整の要請時間は、例えば３０分〜数時間である。一方、単位時間は、例えば３分〜１０分とすることができる。
【００７１】
単位時間が経過した場合（ステップＳ１０９で「ＹＥＳ」）、蓄電池制御部１２４は、次の群を充放電制御の対象として選択する（ステップＳ１１０）。図４の例では、図４（ｂ）に示すように、蓄電池制御部１２４が、２番目の群８０−２を選択する。
【００７２】
次に、蓄電池制御部１２４は、ステップＳ１１０で選択した群が、最初の群であるか否かを判断する（ステップＳ１１１）。最初の群とは、ステップＳ１０６で蓄電池制御部１２４が選択した群である。図４（ｂ）の例では、最初の群は、群８０−１である。
【００７３】
最初の群でない場合（ステップＳ１１１で「ＮＯ」）、蓄電池制御部１２４は、選択した群（この場合、群８０−２）の充放電制御を実行する（ステップＳ１０７）。図４（ｂ）に示す例では、蓄電池制御部１２４が、選択した２番目の群８０−２に属する番号「４」〜「７」の各蓄電池２１を備える各需要家施設２０に対して、それぞれ各蓄電池２１から定格電力（最大電力）で放電するよう指示する充放電指令を送信する。番号「４」〜「７」の各蓄電池２１を備える各需要家施設２０では、受信した充放電指令に基づき、指示された単位時間において、定格電力を目標として放電電力が制御される。なお、各需要家施設２０では、指示された単位時間が経過した後は、充放電指令が無い場合の計画値に基づいて充放電電力が制御される。また、各需要家施設２０では、指示された単位時間において蓄電池２１の充放電電力や需要家施設２０の需給電力が計測され、計測された充放電電力や需給電力の実測値が電力管理装置１０へ送信される。
【００７４】
次に、蓄電池制御部１２４が調整終了時刻に到達したか否かを判断する（ステップＳ１０８）。調整終了時刻に到達していない場合（ステップＳ１０８で「ＮＯ」）、蓄電池制御部１２４は、単位時間が経過したか否かを判断する（ステップＳ１０９）。単位時間が経過した場合（ステップＳ１０９で「ＹＥＳ」）、蓄電池制御部１２４は、次の群を充放電制御の対象として選択する（ステップＳ１１０）。図４の例では、図４（ｂ）に示すように、蓄電池制御部１２４が、３番目の群８０−３を選択する。
【００７５】
次に、蓄電池制御部１２４は、ステップＳ１１０で選択した群が、最初の群であるか否かを判断する（ステップＳ１１１）。最初の群でない場合（ステップＳ１１１で「ＮＯ」）、蓄電池制御部１２４は、選択した群（この場合、群８０−３）の充放電制御を実行する（ステップＳ１０７）。図４（ｂ）に示す例では、蓄電池制御部１２４が、選択した３番目の群８０−３に属する番号「８」〜「１０」の各蓄電池２１を備える各需要家施設２０に対して、それぞれ各蓄電池２１から定格電力（最大出力）で放電するよう指示する充放電指令を送信する。番号「８」〜「１０」の各蓄電池２１を備える各需要家施設２０では、受信した充放電指令に基づき、対象の単位時間において、定格電力を目標として放電電力が制御される。なお、各需要家施設２０では、対象の単位時間が経過した後は、充放電指令が無い場合の計画値に基づいて充放電電力が制御される。また、各需要家施設２０では、指示された単位時間において蓄電池２１の充放電電力や需要家施設２０の需給電力が計測され、計測された充放電電力や需給電力の実測値が電力管理装置１０へ送信される。
【００７６】
次に、蓄電池制御部１２４が調整終了時刻に到達したか否かを判断する（ステップＳ１０８）。調整終了時刻に到達していない場合（ステップＳ１０８で「ＮＯ」）、蓄電池制御部１２４は、単位時間が経過したか否かを判断する（ステップＳ１０９）。単位時間が経過した場合（ステップＳ１０９で「ＹＥＳ」）、蓄電池制御部１２４は、次の群を充放電制御の対象として選択する（ステップＳ１１０）。図４の例では、図４（ｂ）に示すように、現在選択している群８０−３が最後の群なので（すなわち、４番目の群が設定されていないので）、蓄電池制御部１２４は、最初に戻り、１番目の群８０−１を選択する。
【００７７】
次に、蓄電池制御部１２４は、ステップＳ１１０で選択した群（群８０−１）が最初の群なので（ステップＳ１１１で「ＹＥＳ」）、各蓄電池２１の充放電制御の制御結果を確認する（ステップＳ１１２）。ステップＳ１１２において蓄電池制御部１２４は、充放電制御の制御結果の確認として、ステップＳ１０７で群毎に実行された充放電制御が要請された電力ＸｋＷを満たすものであったか否かを判断する。すなわち、ステップＳ１１２において蓄電池制御部１２４は、群毎に実行された充放電制御による需要削減または需要増加の実測値（電力調整に係る所定の実測値の一例）が、要請された電力ＸｋＷを満たす値であったか否かを判断する。
【００７８】
例えば、ステップＳ１１２において蓄電池制御部１２４は、ステップＳ１０７で充放電制御された各蓄電池２１の充放電電力の実測値に基づき、群毎に、ベースラインを基準とする充放電電力の変化分が、要請された電力ＸｋＷに対して所定の範囲内に収まっているか否かを判断する。あるいは、例えば、ステップＳ１１２において蓄電池制御部１２４は、ステップＳ１０７で充放電制御された各蓄電池２１を備える各需要家施設２０の需給電力の実測値に基づき、群毎に、ベースラインを基準とする需給電力の変化分が、要請された電力ＸｋＷに対して所定の範囲内に収まっているか否かを判断する。あるいは、ステップＳ１１２において蓄電池制御部１２４は、例えば、ステップＳ１０７で充放電制御された各蓄電池２１の充放電電力の実測値に基づき、各蓄電池２１が定格電力（最大電力）で充放電（この例では放電）できたか否か、できなかった場合には定格電力に対する充放電電力（この例では放電電力）の比率または差分が所定の範囲内に収まっているか否かを判断する。
【００７９】
次に、選択順位決定部１２３が、ステップＳ１１２での蓄電池制御部１２４による制御結果の確認結果に基づき、群分けを再構成する必要があるか否かを判断する（ステップＳ１１３）。ステップＳ１１３において、選択順位決定部１２３は、ステップＳ１１２での確認結果において、要請された電力ＸｋＷを所定の範囲内で満たすことができない群があったと確認された場合、再構成が必要であると判断し、無かったと確認された場合、再構成が必要ないと判断する。
【００８０】
選択順位決定部１２３が再構成が必要ないと判断した場合（ステップＳ１１３で「ＮＯ」）、蓄電池制御部１２４が、上記と同様に、選択した群（この場合、群８０−１）の充放電制御を実行する（ステップＳ１０７）。
【００８１】
一方、選択順位決定部１２３が再構成が必要であると判断した場合（ステップＳ１１３で「ＹＥＳ」）、選択順位決定部１２３は、要請された電力ＸｋＷを所定の範囲内で満たすことができない１または複数の群に対して、電力ＸｋＷを越えるように、群に非所属の蓄電池２１を追加する（ステップＳ１１４）。ただし、ステップＳ１１４において、群に非所属の蓄電池２１が存在しなくなった場合あるいは初めから存在しない場合、選択順位決定部１２３は蓄電池２１の追加を行わない。
【００８２】
例えば、図４（ｃ）に示すように、網掛けして示す番号「６」の蓄電池２１と番号「７」の蓄電池２１の残容量が不足し、群８０−２の充放電制御の際、要請された電力ＸｋＷを所定の範囲内で満足する放電電力が確保できなかったとする。この場合、ステップＳ１１４で選択順位決定部１２３は、図４（ｄ）に示すように、群８０−１〜８０−３に属していない番号「１１」の蓄電池２１と番号「１２」の蓄電池２１の一方または両方を電力ＸｋＷを越えるように当該群８０−２に追加する。図４（ｅ）に示す例では、２番目の群８０−２に、番号「１１」の蓄電池２１と番号「１２」の蓄電池２１の両方が追加されている。この場合、群に所属していない蓄電池２１はなくなる。また、この場合、番号「１１」の蓄電池２１と番号「１２」の蓄電池２１の選択順位は、群８０−３に所属している番号「８」〜「１０」の各蓄電池２１の選択順位より高くなるように変更されたことになる。
【００８３】
次に、選択順位決定部１２３は、各群の需要削減または需要増加（この例では需要削減）の余力が、要請された電力ＸｋＷを所定の範囲内（所定の誤差範囲）で満足するか否かを判断する（ステップＳ１１５）。選択順位決定部１２３がすべての群が満足すると判断した場合（ステップＳ１１５で「ＹＥＳ」）、蓄電池制御部１２４は、上記と同様に、選択した群（この場合、群８０−１）の充放電制御を実行する（ステップＳ１０７）。
【００８４】
一方、選択順位決定部１２３は、いずれかの群が満足しないと判断した場合（ステップＳ１１５で「ＮＯ」）、現在の群の個数が２以上であるか否かを判断する（ステップＳ１１６）。２以上でない場合（ステップＳ１１６「ＮＯ」）、蓄電池制御部１２４は、上記と同様に、選択した群（この場合、群８０−１）の充放電制御を実行する（ステップＳ１０７）。他方、２以上の場合（ステップＳ１１６で「ＹＥＳ」）、選択順位決定部１２３は、最後の群を解体し、最後の群に属していた蓄電池２１を群に非所属の蓄電池２１として（ステップＳ１１７）、上記と同様に、要請された電力ＸｋＷを所定の範囲内で満たすことができない１または複数の群に対して、電力ＸｋＷを越えるように、群に非所属の蓄電池２１を追加する（ステップＳ１１４）。図４（ｆ）は、群８０−３が解体されて、番号「８」〜「１０」の各蓄電池２１が群に非所属となった状態を示す。
【００８５】
以上の処理によって、電力調整の要請を受信した場合に、選択順位決定部１２３が、要請を満たすように、１または複数の蓄電池からなる群を設定し、設定した群毎に選択順位を決定する。例えば、図４に示す例では、蓄電池毎の選択順位が番号「１」〜「１２」の順であり、群毎の選択順位が、群８０−１、群８０−２、および群８０−３の順である。この動作例では、適切な選択順位で制御対象の蓄電池を選択することができるので、複数の蓄電池の充放電を効果的に管理することがきる。
【００８６】
また、選択順位決定部１２３が、複数の単位時間毎に電力調整に係る所定の実測値に基づき必要に応じて選択順位を変更するので、精度良く電力制御を実行することができる。
【００８７】
また、選択順位決定部１２３は、要請を満たさない群が確認された場合、群のいずれにも割り当てられていない蓄電池を当該群に割り当てることで群を再設定する。よって、精度良く電力制御を実行することができる。
【００８８】
また、選択順位決定部１２３は、要請を満たさない群が確認された場合、群のいずれかを解体し、群を再設定する。よって、精度良く電力制御を実行することができる。
【００８９】
また、蓄電池制御部１２４は、選択した各蓄電池の定格電力による充放電を各需要家施設に対して指示する。よって、蓄電池２１または蓄電池３１の充放電効率を容易に高めることができる。
【００９０】
なお、図３に示す動作例では、制御結果の確認と確認結果に基づく群の再構成を、各群の充放電制御が一巡したところで行っているが、例えば二巡以上の複数巡したところで制御結果の確認や群の再構成をしてもよい。また、群分けを、要請された電力ＸｋＷを越えるように行っているが、例えば、さらに所定の余裕をもたせるようにしてもよい。
【００９１】
次に、図５および図６を参照して、図２に示す制御装置１２の他の動作例について説明する。図５は、図２に示す制御装置１２の他の動作例を示すフローチャートである。図６は、図５に示す制御装置１２の他の動作例を説明するための図表である。図５に示す動作例は、図２に示す受信部１２２が電力調整の要請を受信した場合に、要請された需要電力（あるいは需要電力量）の増減を、複数の蓄電池２１または蓄電池３１からの充放電によって対応するときの動作の他の例である。また、この動作例では、選択順位決定部１２３による選択順位の決定が、蓄電池毎、かつ、利用可能量順である。利用可能量は、需要削減の要請に対しては放電可能な容量であり、需要増加の要請に対しては充電可能な容量である。図５に示す処理は、繰り返し実行される。なお、この動作例の説明では、蓄電池２１のみを例として用いる。また、この動作例では、図６（ａ）に示す５台の蓄電池２１を管理対象として電力調整の要請に応じることとする。また、受信部１２２が受信した電力調整の要請は、要請時間が４時間で、要請電力が５ｋＷの需要削減（放電）の要請であるとする。また、ベースラインにおいて各蓄電池２１は充放電していないものとする。
【００９２】
図６は、電力調整の要請が需要削減の要請である場合に、需要家施設ＩＤが「Ａ」〜「Ｅ」である５台の蓄電池２１を充放電制御する例を示す。図６（ａ）は電力調整の要請に応じた充放電制御が実行される前の（すなわちベースラインにおける）利用可能な出力（ｋＷ）と容量（ｋＷｈ）を示す。ここで、出力（ｋＷ）は出力可能な最大放電電力であり、容量（ｋＷｈ）は残容量である。図６（ｂ）は、図６（ａ）に示す５台の蓄電池２１を利用可能量（蓄電池充放電可能容量）が多い順にソートした場合の選択順位を示す。図６（ｂ）では、図表の上から下に選択順位が上位から下位へと下がる。また、図６（ｃ）は、調整開始から３０分後の各蓄電池２１の出力（ｋＷ）と容量（ｋＷｈ）の推測値を示す。
【００９３】
図５に示す処理において、受信部１２２が上位制御システム５０から電力調整の要請を受信すると（ステップＳ２０１で「ＹＥＳ」）、蓄電池制御部１２４（あるいは選択順位決定部１２３）は、調整開始時刻になるまで待機する（ステップＳ２０２で「ＮＯ」の繰り返し）。調整開始時刻になると（ステップＳ２０２で「ＹＥＳ」）、選択順位決定部１２３が、各蓄電池２１または蓄電池３１の蓄電状態（残容量等）を取得する（ステップＳ２０３）。
【００９４】
次に、選択順位決定部１２３が、図６（ａ）に示す各蓄電池２１を利用可能量（容量（ｋＷｈ））が多い順にソートする（ステップＳ２０４）。図６に示す例では、図６（ｂ）に示すように、需要家施設ＩＤ「Ｅ」、「Ｄ」、「Ａ」、「Ｂ」および「Ｃ」の順で各蓄電池２１がソートされる。
【００９５】
次に、蓄電池制御部１２４が、ソート順に上位から要請電力（５ｋＷ）を越えるように蓄電池２１を選択する（ステップＳ２０５）。この例では、ステップＳ２０５で蓄電池制御部１２４が、図６（ｂ）に示す需要家施設ＩＤ「Ｅ」の蓄電池２１と「Ｄ」の蓄電池２１を選択する。
【００９６】
次に、蓄電池制御部１２４が、選択した蓄電池２１の充放電制御を実行する（ステップＳ２０６）。この例では、蓄電池制御部１２４が、選択した１番目の需要家施設ＩＤ「Ｅ」の需要家施設２０に対して所定の単位時間、３ｋＷで放電するよう指示する充放電指令を送信するとともに、２番目の需要家施設ＩＤ「Ｄ」の需要家施設２０に対して所定の単位時間、２ｋＷで放電するよう指示する充放電指令を送信する。この動作例において、単位時間は、各蓄電池２１をソートし直す時間間隔であり、また、蓄電池制御部１２４が充放電指令を送信する間隔である。単位時間は、要請時間より短い時間に設定される。この動作例では、単位時間が３０分であるとする。
【００９７】
次に、蓄電池制御部１２４が、調整終了時刻に到達したか否かを判断する（ステップＳ２０７）。調整終了時刻に到達した場合（ステップＳ２０７で「ＹＥＳ」）、制御装置１２は、図５に示す処理を一旦終了し、再度、図５に示す処理を開始する。一方、調整終了時刻に到達していない場合（ステップＳ２０７で「ＮＯ」）、蓄電池制御部１２４は、単位時間が経過したか否かを判断する（ステップＳ２０８）。単位時間が経過していない場合（ステップＳ２０８で「ＮＯ」）、蓄電池制御部１２４は、再度、調整終了時刻に到達したか否かを判断する（ステップＳ２０７）。
【００９８】
単位時間が経過した場合（ステップＳ２０８で「ＹＥＳ」）、蓄電池制御部１２４は、所定時間が経過したか否かを判断する（ステップＳ２０９）。ステップＳ２０９で判断される所定時間は、ステップＳ２０３で各蓄電池２１の状態を取得する時間間隔に対応する。この所定時間は、ステップＳ２０８で判断される単位時間より長く設定される。
【００９９】
蓄電池制御部１２４が所定時間が経過したと判断した場合（ステップＳ２０９で「ＹＥＳ」）、選択順位決定部１２３が、各蓄電池２１または蓄電池３１の蓄電状態（残容量等）（電力調整に係る所定の実測値の一例）を取得する（ステップＳ２０３）。そして、選択順位決定部１２３が、各蓄電池２１を利用可能量（容量（ｋＷｈ））が多い順にソートする（ステップＳ２０４）。その後、上記と同様に、蓄電池制御部１２４が、ステップＳ２０５以降の処理を実行する。
【０１００】
一方、蓄電池制御部１２４が所定時間が経過していないと判断した場合（ステップＳ２０９で「ＮＯ」）、選択順位決定部１２３が、各蓄電池２１の蓄電状態（残容量等）を推定する（ステップＳ２１０）。図６（ｃ）は推定結果の例を示す。図６（ｃ）は、図６（ｂ）の蓄電状態から、単位時間（この例では３０分）が経過した後の蓄電状態を推定した結果の一例である。需要家施設ＩＤ「Ｅ」の蓄電池２１の容量は３ｋＷを３０分放電することで９ｋＷｈから７．５ｋＷｈに変化している。需要家施設ＩＤ「Ｄ」の蓄電池２１の容量は２ｋＷを３０分放電することで６ｋＷｈから５ｋＷｈに変化している。
【０１０１】
ステップＳ２１０の処理の後、選択順位決定部１２３は、ステップＳ２１０で推定した利用可能量（容量（ｋＷｈ））が多い順に各蓄電池２１をソートする（ステップＳ２０４）。その後、上記と同様に、蓄電池制御部１２４が、ステップＳ２０５以降の処理を実行する。
【０１０２】
以上の処理によって、電力調整の要請を受信した場合に、選択順位決定部１２３が、ベースラインにおける各蓄電状態（利用可能量）に応じて各蓄電池の選択順位を決定するとともに、単位時間毎に蓄電状態（利用可能量）の各推定値に基づき選択順位を更新する。また、選択順位決定部１２３が決定した選択順位に基づき、蓄電池制御部１２４が、要請を満たすように１または複数の蓄電池に選択して充放電制御する。したがって、この動作例では、適切な選択順位で制御対象の蓄電池を選択することができるので、複数の蓄電池の充放電を効果的に管理することがきる。
【０１０３】
次に、図７を参照して、図２に示す制御装置１２の他の動作例について説明する。図７は、図２に示す制御装置１２の他の動作例を示すフローチャートである。なお、図７に示すフローチャートは、図５に示すフローチャートの一部を変更したものである。すなわち、図５に示すステップＳ２０４の処理が、図７に示すステップＳ２０４ａの処理に変更されている。他のステップの処理は同一である。図６に示す動作例では、ステップＳ２０４において選択順位決定部１２３が各蓄電池を利用可能量（容量（ｋＷｈ））が多い順にソートする。これに対し、図７に示す動作例では、ステップＳ２０４ａにおいて選択順位決定部１２３が各蓄電池をＳＯＣ（Ｓｔａｔｅ  Ｏｆ  Ｃｈａｒｇｅ；充電率）に基づいてソートする。ステップＳ２０４ａにおいて、選択順位決定部１２３は、電力調整の要請が需要削減の要請である場合にはＳＯＣが多い順にソートし、需要増加の要請である場合にはＳＯＣが少ない順にソートする。このソートの結果、上位に位置する蓄電池の選択順位が上位となる。すなわち、図７に示す動作例では、選択順位決定部１２３による選択順位の決定が、蓄電池毎、かつ、ＳＯＣ順である。ステップＳ２０４ａの処理以外の動作は、図５を参照して説明した動作例と同一である。
【０１０４】
以上の処理によって、電力調整の要請を受信した場合に、選択順位決定部１２３が、ベースラインにおける各蓄電状態（充電率）に応じて各蓄電池の選択順位を決定するとともに、単位時間毎に蓄電状態（充電率）の各推定値に基づき選択順位を更新する。また、選択順位決定部１２３が決定した選択順位に基づき、蓄電池制御部１２４が、要請を満たすように１または複数の蓄電池に選択して充放電制御する。この動作例では、適切な選択順位で制御対象の蓄電池を選択することができるので、複数の蓄電池の充放電を効果的に管理することがきる。
【０１０５】
次に、図８を参照して、上述した３種類の選択順位の決定の仕方についてメリットとデメリットを比較する。図８は、３種類の選択順位の決定の仕方（郡単位順（図３）、利用可能量順（図５）およびＳＯＣ順（図７））についてメリットとデメリットをまとめて示す。ただし、デメリットとして示す内容も３種類を比較した場合の相対的な短所であり、処理量は若干多くなるものの、短所を打ち消すような処理を追加することが可能である。
【０１０６】
郡単位順には、「全部の蓄電池を使える」、「公平感が高い」および「計算量少」というメリットがあり、「上位との約束(出力/時間)を守れない可能性あり」および「蓄電池容量をすべて使うことができない可能性あり」というデメリットがある。
【０１０７】
利用可能量順には、「容量の計算がしやすい」というメリットがあり、「一部の大容量蓄電池に偏る可能性あり」および「ソート計算必要」というデメリットがある。
【０１０８】
ＳＯＣ順には、「全部の蓄電池が使える可能性が高い」というメリットがあり、「小容量品は単位時間によっては、必要容量確保できない可能性あり」および「ソート計算必要」というデメリットがある。
【０１０９】
以上のように、本実施形態によれば、複数の蓄電池を束ねて電力の需要変化に対応することができ、さらに、動作させる蓄電池を適切な順位で選択することができるので、複数の蓄電池の充放電を効果的に管理することがきる。
【０１１０】
以上、この発明の実施形態を図面を参照して詳述してきたが、具体的な構成はこの実施形態に限られるものではなく、この発明の要旨を逸脱しない範囲の設計等も含まれる。
【符号の説明】
【０１１１】
１：蓄電池群管理システム、１０：電力管理装置、２０、３０：需要家施設、２１、３１：蓄電池、１２：制御装置、１２１：電力制御部、１２２：受信部、１２３：選択順位決定部、１２４：蓄電池制御部（制御部）
【図１】
2019068512.tif 000003
【図２】
2019068512.tif 000004
【図３】
2019068512.tif 000005
【図４】
2019068512.tif 000006
【図５】
2019068512.tif 000007
【図６】
2019068512.tif 000008
【図７】
2019068512.tif 000009
【図８】
2019068512.tif 000010